(57)【特許請求の範囲】
【請求項１】
遊技盤（４）の前面に、遊技領域（１６）の略中央部から該遊技領域（１６）の周辺部にわたってデザイン的に連続する装飾部材（２５）を設け、該装飾部材（２５）は、前記遊技盤（４）から前方に突出して前面側を遊技球が通過不能な突出部（３９）と、前面側を遊技球が通過可能な偏平部（４０）とを一体に備え、前記突出部（３９）の基部側に前記偏平部（４０）の端部を接続すると共に、その接続部分から離れた位置で前記突出部（３９）と前記偏平部（４０）とを橋絡状に連結する連結部（６６）を設け、その橋絡状の連結部（６６）の内側に遊技球が通過可能な通過路（６５）を形成したことを特徴とする弾球遊技機。
【請求項２】
前記装飾部材（２５）の前記遊技領域（１６）の中央部を成す部分は、遊技用の識別情報を視認可能に変動表示する可変表示部（１７）の周辺に位置することを特徴とする請求項１に記載の弾球遊技機。
【請求項３】
前記突出部（３９）内で且つ前記遊技盤（４）の前面よりも前側に、遊技状態に関連して点灯又は点滅する表示ランプ（４６）を設けたことを特徴とする請求項１又は２に記載の弾球遊技機。
【請求項４】
前記偏平部（４０）の裏側に、遊技状態に関連して点灯又は点滅する表示ランプ（４９）を設けたことを特徴とする請求項１〜３の何れかに記載の弾球遊技機。
【請求項５】
前記遊技領域（１６）の下部に前記偏平部（４０）を設け、該偏平部（４０）に、アウト口（３７）へ遊技球を誘導する誘導窓（５７）を形成したことを特徴とする請求項１〜４の何れかに記載の弾球遊技機。
【発明の詳細な説明】
【０００１】
【発明の属する技術分野】
本発明は、パチンコ機、アレンジボール機、雀球遊技機等の弾球遊技機に関し、遊技領域の略中央部から周辺部にわたって装飾部材を設けたものである。
【０００２】
【従来の技術】
パチンコ機等の弾球遊技機では、遊技盤の前面に、その遊技主題に関連する装飾絵柄が印刷された透明板を装着すると共に、ガイドレールの内側の遊技領域の略中央部に特別図柄表示手段を、その周辺部分に始動手段、普通入賞手段等の各種の遊技部品を夫々装着している。
【０００３】
そして、特別図柄表示手段の表示ケースの前面側に、遊技主題及び装飾絵柄と関連する装飾部材を設けて装飾を施す等、各遊技部品の前面側に装飾を施す一方、遊技部品の内部に表示ランプを組み込んで、遊技状態に関連して表示ランプを点灯又は点滅させる等により、遊技前及び遊技中における遊技盤の前面側の装飾効果を上げて遊技者の興趣を喚起するようにしている。
【０００４】
【発明が解決しようとする課題】
従来は透明板に印刷された装飾絵柄と各遊技部品に施された装飾とによって、遊技盤の前面側の装飾効果の向上を図っている。しかし、従来の特別図柄表示手段の装飾部材等は、各遊技部品を一単位として構成したものであるため、その個々の装飾部材自体に如何に工夫を凝らしたとしても、遊技盤の前面側の全体として捕らえた場合にはデザインの斬新性に欠けるという問題がある。
【０００５】
本発明は、このような従来の課題に鑑み、斬新性に富み優れた装飾効果を奏することができ、しかも遊技領域での遊技球の通過の障害となることもない弾球遊技機を提供することを目的とする。
【０００６】
【課題を解決するための手段】
本発明は、遊技盤４の前面に、遊技領域１６の略中央部から該遊技領域１６の周辺部にわたってデザイン的に連続する装飾部材２５を設け、該装飾部材２５は、前記遊技盤４から前方に突出して前面側を遊技球が通過不能な突出部３９と、前面側を遊技球が通過可能な偏平部４０とを一体に備え、前記突出部３９の基部側に前記偏平部４０の端部を接続すると共に、その接続部分から離れた位置で前記突出部３９と前記偏平部４０とを橋絡状に連結する連結部６６を設け、その橋絡状の連結部６６の内側に遊技球が通過可能な通過路６５を形成したものである。
【０００７】
【発明の実施の形態】
以下、本発明の各実施形態を図面に基づいて説明する。図１〜図９は本発明を採用したパチンコ機の第１の実施形態を例示し、図１において、１は遊技機本体で、外枠２と、この外枠２に開閉自在に枢着された前枠３とを有する。前枠３には、その窓孔に対応して遊技盤４が着脱自在に装着され、また遊技盤４の前側にガラス扉５と前面板６とが開閉自在に配置されている。前面板６には、発射用の遊技球を貯留する上皿７が装着されている。前枠３の下部には、余剰球を貯留する下皿８と、発射手段９の発射ハンドル１０とが設けられている。
【０００８】
遊技盤４の前面には図２にも示すように、発射手段９からの遊技球を案内する外ガイドレール１１と内ガイドレール１２とが環状に装着され、そのガイドレール１１，１２の外側に外装飾部材１３〜１５が、ガイドレール１１，１２の内側の遊技領域１６に特別図柄表示手段１７、特別図柄始動手段１８、可変入賞手段１９、普通図柄表示手段２０、普通図柄始動手段２１、普通入賞手段２２〜２４及び装飾部材２５が装着されている。
【０００９】
特別図柄表示手段１７は遊技用の識別情報を前側から視認可能に表示する可変表示部を構成するもので、図３〜図５に示すように、遊技盤４の前面に着脱自在に装着された表示ケース２６と、この表示ケース２６に対応して遊技盤４の裏側に取り付け板２７を介して着脱自在に装着された液晶表示ユニット２８とを備え、遊技領域１６の略中央部に配置されている。表示ケース２６は遊技盤４の前側に突出する門形状の前枠部２９と、遊技盤４の装着孔３０に嵌合する胴体部３１とを一体に備え、内部側が表示窓３２となる略矩形状に構成されている。
【００１０】
液晶表示ユニット２８は、その前面側の表示部３３に１個又は複数個、例えば３個の特別図柄を変動表示可能であると共に、必要に応じてデモ画像その他の遊技情報を表示可能であり、その特別図柄等の遊技情報は遊技情報制御基板３４により制御される。遊技情報制御基板３４は、液晶表示ユニット２８の裏側に装着された制御基板ケース３５内に収納されている。取り付け板２７は表示ケース２６の表示窓３２に対応する開口３６を有し、表示ケース２６に対して位置決めされた状態で遊技盤４の裏側に固定されている。なお、特別図柄は数字図柄その他の遊技図柄から成り、特別図柄始動手段１８の遊技球の検出を条件に所定時間変動して、変動後に予め定められた「７・７・７」等の特別態様又はそれ以外の非特別態様で停止する。
【００１１】
特別図柄表示手段１７の上側の左右略中央に普通図柄表示手段２０が、下側に特別図柄始動手段１８及び可変入賞手段１９が、左右両側に普通図柄始動手段２１が夫々配置されている。特別図柄始動手段１８の左右両側に普通入賞手段２２が配置されている。可変入賞手段１９は遊技領域１６の略中央下部に配置され、その左右両側に普通入賞手段２３，２４が、下側にアウト口３７が設けられている。アウト口３７は遊技領域１６の最下部に配置され、内ガイドレール１２等によって案内された遊技球をアウト球として遊技盤４の裏側へ誘導するようになっている。
【００１２】
普通図柄表示手段２０は１個又は複数個、例えば１個の普通図柄を変動表示可能である。なお、普通図柄も数字図柄その他の遊技図柄から成り、普通図柄始動手段２１の遊技球の検出を条件に所定時間変動して、変動後に予め定められた「７」等の所定態様又はそれ以外の非所定態様で停止する。可変入賞手段１９は前側に開放する開閉板３８を有し、特別図柄表示手段１７の変動後の特別図柄が特別態様となって遊技者に有利な特別利益状態が発生した場合に、多数の遊技球が入賞し易くなるように開閉板３８が前側に開放する。
【００１３】
装飾部材２５は図２及び図３に示すように、遊技領域１６の略中央から遊技領域１６の周辺部にわたってデザイン的に連続する大型の部材により構成されている。そして、この装飾部材２５は、遊技盤４から前方に突出して前面側を遊技球が通過不能な突出部３９と、前面側を遊技球が通過可能な薄肉状の偏平部４０とを備え、その突出部３９と偏平部４０との前面に、遊技主題と関連する「龍」等の装飾模様が両者に跨がって付されている。また装飾部材２５は、突出部３９と偏平部４０とに分割され、その偏平部４０が第１部材４１、第２部材４２及び第３部材４３に分割される等、複数個の部分に分割構成されている。
【００１４】
装飾部材２５の遊技領域１６の中央部を成す部分、例えば突出部３９は、図３〜図５に示すように、主題絵柄の「龍」の頭部が表示された前壁部４４と、この前壁部４４の外周から後方に屈曲する周壁部４５とを一体（又は別体）に備え、特別図柄表示手段１７の上側から左右両側にわたってその周辺に配置されている。そして、前壁部４４、周壁部４５は、特別図柄表示手段１７の表示ケース２６に一体に形成されている。なお、突出部３９は遊技盤４の前面から突出しており、見掛け上、薄肉状の偏平部４０に比較して厚肉状になっている。また周壁部４５は上方から落下する遊技球を突出部３９上に止めずに下方に案内できるような形状になっている。
【００１５】
突出部３９にはその前壁部４４側に普通図柄表示手段２０と、複数個の表示ランプ４６とが設けられている。普通図柄表示手段２０は前壁部４４の開口４４ａに対応してその裏側に装着されている。各表示ランプ４６は例えば特別図柄の変動中にその変動後の特別態様の発生を予告する場合、特別利益状態が発生した場合等、遊技に関連して点灯又は点滅するものであって、前壁部４４の裏側に固定された基板４４ｂに装着され、前壁部４４の開口４４ａ又はレンズ部に対応してその裏側に配置されている。なお、２個の表示ランプ４６ａは遊技主題の「龍」の目の部分に配置されており、この２個の表示ランプ４６ａを含む全ての表示ランプ４６は、突出部３９の周縁部分等の所要箇所に所定間隔をおいて左右略対称に配置されている。
【００１６】
第２部材４２は遊技領域１６の下部側に配置されている。第２部材４２の両端側には、上側へと円弧状に延びるように左右一対の第１部材４１と第３部材４３とが配置され、その第１部材４１の上端側が内側に屈曲して突出部３９の基部側に近接している。従って、偏平部４０は遊技領域１６の下部側を経て左右の上部側へと遊技領域１６の周辺部に略円弧状に配置され、その一端側が突出部３９の左右の一側、例えば遊技球の遊技領域１６への入り口と反対側で突出部３９の基部側に当接又は近接している。そして、この偏平部４０には突出部３９側の「龍」の頭部側から第１部材４１、第２部材４２及び第３部材４３へと連続するように「龍」の胴部分が表示されている。また偏平部４０には、外周側の少なくとも外装飾部材１３〜１５と対応しない部分に、前側に略垂直に突出する内ガイドレール１２が一体に設けられている。なお、偏平部４０の前面は平滑状であることが望ましい。
【００１７】
偏平部４０には、複数個の表示ランプ４７を内蔵する装飾表示部４８が、遊技領域１６の左右両側に対応して前側に突出状に形成されると共に、装飾表示部４８以外の適当箇所の裏側に、周方向に所定間隔をおいて１個又は複数個の表示ランプ４９が設けられている。表示ランプ４７は図６に示すように遊技盤４の前面側で装飾表示部４８内に収納され、装飾表示部４８の前面に形成された上下方向に複数個の開口又はレンズ部の裏側に対応して基板５０に設けられている。表示ランプ４９は図７に示すように、遊技盤４の周方向の長孔等の収容孔５１内で基板５２に装着されており、偏平部４０に形成された周方向に複数個の開口又はレンズ部の裏側に対応して遊技盤４の前面よりも後方に設けられている。
【００１８】
なお、各表示ランプ４７，４９は、突出部３９側の表示ランプ４６と同様に遊技に関連して点灯又は点滅する。この実施形態では、突出部３９と、偏平部４０の装飾表示部４８と、装飾表示部４８以外の偏平部４０との夫々に表示ランプ４６，４７，４９を設けているが、その各表示ランプ４６，４７，４９は遊技に関連する異なる契機で点灯又は点滅するようにしても良い。
【００１９】
第１部材４１には、その上部側の屈曲部分に一方の普通図柄始動手段２１が設けられ、また下部側から遊技領域１６の内側に突出する取り付け部５３に、一方の普通入賞手段２２が設けられている。なお、図２に仮想線で示すように第３部材４３にも遊技領域１６の内側に突出する取り付け部５４，５５を設けて、その取り付け部５４，５５に他方の普通図柄始動手段２１、普通入賞手段２２を設けても良い。
【００２０】
第２部材４２は下側が内ガイドレール１２に沿った円弧状であって、その外周側に内ガイドレール１２の一部であるレール部５６が一体に形成され、また中央下部に内ガイドレール１２上の遊技球をアウト口３７へと誘導する誘導窓５７が形成されている。誘導窓５７には図８に示すようにアウト口３７内に嵌合する樋部５８と、アウト口３７の前側内周に嵌合する嵌合縁５９とが一体に形成され、またレール部５６には遊技球を樋部５８に案内する案内凹部６０が形成されている。
【００２１】
第２部材４２の上側には、その左右両側から遊技領域１６の内側に突出する取り付け部６１に普通入賞手段２３，２４が設けられ、その両取り付け部６１間に可変入賞手段１９が納まる切り欠き部６２が形成されている。なお、普通図柄始動手段２１、普通入賞手段２２〜２４は偏平部４０に一体に設けても良いし、別体に設けても良い。
【００２２】
第３部材４３の外周側にも、内ガイドレール１２の他の一部であるレール部６３が一体に設けられている。第２部材４２のレール部５６と第３部材４３のレール部６３との接続部分には、図９に示すように各レール部５６，６３に段違い状に突片５６ａ，６３ａが設けられ、下側のレール部５６の突片５６ａが外側となるように両突片５６ａ，６３ａ同士が内外に重合されている。
【００２３】
このように遊技盤４の前面に、遊技領域１６の略中央部から該遊技領域１６の周辺部にわたってデザイン的に連続する装飾部材２５を設けることにより、従来の各遊技部品単位で装飾する場合に比較して、遊技盤４の前面側全体の装飾が斬新なものとなり、斬新性に富んだ優れた装飾効果を得ることができる。
【００２４】
また装飾部材２５は遊技領域１６の略中央部から該遊技領域１６の周辺部にわたってデザイン的に連続しており、従来に比較して大型になっているが、その装飾部材２５自体には、遊技盤４から前方に突出して前面側を遊技球が通過不能な突出部３９の他に、前面側を遊技球が通過可能な偏平部４０を設けているため、突出部３９と偏平部４０とを旨く組み合わせて配置することによって、装飾部材２５が遊技球の通過の障害となるようなこともない。
【００２５】
しかも装飾部材２５は大型化するが、突出部３９と偏平部４０とに分割し、その偏平部４０を第１部材４１、第２部材４２、第３部材４３のように更に複数個に分割することにより、装飾部材２５を合成樹脂材料により成型するに際しても、その成型を容易にできる。また偏平部４０を遊技領域１６の周辺部分に沿って周方向に配置する場合には、偏平部４０自体が周方向に長くなるが、この偏平部４０を周方向に複数個に分割することによって、個々の長さを短くできるので、偏平部４０の損傷等もなくその取り扱いを容易にできる。
【００２６】
装飾部材２５の遊技領域１６の中央部を成す部分が特別図柄表示手段１７の周辺に位置しているので、その装飾部材２５の中央部を成す部分と特別図柄表示手段１７との組み合わせによって装飾性を向上させることができる。特に特別図柄表示手段１７の表示ケース２６は一般的に遊技盤４の前面から突出しているため、装飾部材２５の中央部を成す部分を突出部３９とし、この突出部３９を特別図柄表示手段１７の周辺に配置することにより装飾効果を更に向上させることができる。また突出部３９と表示ケース２６とを一体化する場合でも、両者が共に遊技盤４の前面から前方に突出しているため、合成樹脂材料により容易に成型することができる。
【００２７】
また偏平部４０の第１部材４１、第２部材４２に一体又は別体に普通図柄始動手段２１、普通入賞手段２２〜２４等を設けているため、偏平部４０側の装飾性と関連させて普通図柄始動手段２１、普通入賞手段２２〜２４等を設けることが可能であり、それによって更に装飾効果を向上させることができる。
【００２８】
装飾部材２５にはその突出部３９及び偏平部４０に表示ランプを設けて、その各表示ランプ４６，４７，４９を遊技に関連して点灯又は点滅させるようにしているため、この表示ランプ４６，４７，４９の点灯又は点滅により装飾性が向上すると共に、遊技を演出することができる。突出部３９、装飾表示部４８側の表示ランプ４６は遊技盤４の前面よりも前側に設けているため、遊技盤４側に表示ランプ４６を収容するための孔加工を行う必要がない。また偏平部４０側の表示ランプ４９は遊技盤４に収容孔５１を形成し、その収容孔５１内に表示ランプ４９を収容して遊技盤４の前面よりも後側に配置しているため、偏平部４０を可及的に薄く構成できる。
【００２９】
また偏平部４０を遊技領域１６の下部に配置して、その偏平部４０に、遊技球をアウト口３７へと誘導する誘導窓５７を形成しているので、アウト口３７の前側に口金具等を設ける必要がなく、アウト口３７を含む部分を偏平部４０によって装飾できる。更に偏平部４０に内ガイドレール１２を一体に設けているため、別途内ガイドレール１２を取り付ける必要もない。
【００３０】
図１０及び図１１は本発明の第２の実施形態を例示し、この実施形態では装飾部材２５の突出部３９と偏平部４０との全体が一体に形成され、また普通図柄始動手段２１、普通入賞手段２２〜２４等の遊技部品が偏平部４０とは別に設けられている。
【００３１】
偏平部４０の上端側は突出部３９の周壁部４５の基部側に一体に接続され、周壁部４５及び偏平部４０の上端部との間に、遊技球が通過可能な通過路６５を形成するように、周壁部４５の前側と偏平部４０の上端近傍とを橋絡状に連結するＬ字状等の連結部６６が一体に形成されている。そして、通過路６５の下側に普通図柄始動手段２１、遊技釘等が設けられている。
【００３２】
このように装飾部材２５は突出部３９と偏平部４０とを一体に構成しても良い。この場合、突出部３９の基部側に偏平部４０の端部を接続すると共に、その接続部分から離れた位置で突出部３９と偏平部４０とを橋絡状に連結する連結部６６を設けることにより、突出部３９と偏平部４０との連結部分の強度を確保できる。また橋絡状の連結部６６の内側に、遊技球が通過可能な通過路６５を形成することにより、連結部６６が遊技球の障害となることもない。なお、偏平部４０には内ガイドレール１２が一体に設けられている。
【００３３】
図１２及び図１３は本発明の第３の実施形態を例示し、この実施形態では装飾部材２５とこれに隣接する外装飾部材１５とが一体に形成されている。装飾部材２５の偏平部４０の外周に、内ガイドレール１２と連続する円弧状のレール部６７と、その上側の装飾表示部４８とを介して外装飾部材１５が一体に形成されている。
【００３４】
このように遊技領域１６内の装飾部材２５と、遊技領域１６の外部に配置され且つ装飾部材２５に隣接する外装飾部材１５とを一体に形成することも可能である。なお、装飾部材２５の偏平部４０はその全体が一体でも良いし、複数個に分割構成しても良い。複数個に分割構成した場合には、その一部の部材４２と外装飾部材１５とを一体化すれば良い。但し、装飾部材２５の突出部３９と外装飾部材１５とを一体化する場合には、前面側から見た場合に本来の遊技領域１６の内外を識別できるようにしておくことが望ましい。
【００３５】
以上、本発明の各実施形態について詳述したが、本発明はこの実施形態に限定されるものではなく、本発明の趣旨を逸脱しない範囲で種々の変更が可能である。実施形態では、前面側に遊技主題の「龍」を装飾模様として表示した場合を例示しているが、遊技主題は何であっても良い。また装飾模様は凹凸模様と色の塗り分け模様とを組み合わせて構成しても良いし、単一色の凹凸模様、又は絵柄で構成しても良い。
【００３６】
突出部３９は必ずしも遊技領域１６の略中央に設ける必要はなく、突出部３９を左右両側に配置し、中央部分に偏平部４０を配置しても良い。また突出部３９を遊技領域１６の略中央部分に配置し、その左右両側に適宜形状の偏平部４０を配置しても良い。この場合には、装飾部材２５の全体を略左右対称に構成することが望ましい。その場合、遊技領域１６の下部側を除くように装飾部材２５を上部側に配置しても良い。装飾部材２５と内ガイドレール１２は別々に設けても良い。
【００３７】
装飾部材２５は遊技盤４に対してネジ等で取り付けるようにしても良いし、装飾部材２５の裏側に圧入ピン等の突起を設けておき、その突起を遊技盤４側の圧入孔に圧入することにより取り付けるようにしても良い。
【００３８】
偏平部４０を複数個に分割する場合に、その分割数は２個でも良いし、４個以上でも良い。また第１の実施形態において、その突出部３９と偏平部４０の第１部材４１とを一体に形成し、偏平部４０の各部材を複数個に分割する等、突出部３９と偏平部４０の一部とを一体化し、偏平部４０の他の部分を突出部３９側の偏平部４０から分割しても良いし、偏平部４０の他の部分を複数個に分割しても良い。
【００３９】
各実施形態では、可変表示部として特別図柄表示手段１７を例示し、この特別図柄表示手段１７の周辺に突出部３９を配置する場合について詳述しているが、特別図柄表示手段１７以外のものでも良い。また可変表示部以外の入賞装置等の遊技部品を遊技領域１６の略中央に配置し、その周辺部分に位置するように装飾部材２５を配置しても良い。
【００４０】
突出部３９の表示ランプ４６、偏平部４０の表示ランプ４９の数は１個でも良いし、複数個でも良い。また表示ランプ４６，４９は勿論のこと、各遊技部品の配列も適宜決定すれば良い。表示ランプ４６及び／又は表示ランプ４９は省略しても良い。また本発明はパチンコ機の他、アレンジボール機、雀球遊技機等の各種の弾球遊技機においても同様に採用可能である。
【００４１】
【発明の効果】
本発明によれば、遊技盤４の前面に、遊技領域１６の略中央部から該遊技領域１６の周辺部にわたってデザイン的に連続する装飾部材２５を設けているので、斬新性に富み優れた装飾効果を奏する。また装飾部材２５は、遊技盤４から前方に突出して前面側を遊技球が通過不能な突出部３９と、前面側を遊技球が通過可能な偏平部４０とを一体に備え、突出部３９の基部側に偏平部４０の端部を接続すると共に、その接続部分から離れた位置で突出部３９と偏平部４０とを橋絡状に連結する連結部６６を設け、その橋絡状の連結部６６の内側に遊技球が通過可能な通過路６５を形成しているので、その突出部３９と偏平部４０とを適宜配置することにより、装飾部材２５が遊技領域１６での遊技球の通過の障害となることもない。
【図面の簡単な説明】
【図１】本発明の第１の実施形態を示すパチンコ機の正面図である。
【図２】本発明の第１の実施形態を示す遊技盤の正面図である。
【図３】本発明の第１の実施形態を示す装飾部材の斜視図である。
【図４】本発明の第１の実施形態を示す遊技盤の中央部分の横断面図である。
【図５】本発明の第１の実施形態を示す遊技盤の中央部分の縦断面図である。
【図６】図２のＡ−Ａ線拡大断面図である。
【図７】図２のＢ−Ｂ線拡大断面図である。
【図８】図２のＣ−Ｃ線拡大断面図である。
【図９】本発明の第１の実施形態を示すガイドレールの接続部の正面図である。
【図１０】本発明の第２の実施形態を示す遊技盤の正面図である。
【図１１】図１０のＤ−Ｄ線拡大断面図である。
【図１２】本発明の第３の実施形態を示す遊技盤の正面図である。
【図１３】図１２のＥ−Ｅ線拡大断面図である。
【符号の説明】
４  遊技盤
１６  遊技領域
１７  特別図柄表示手段
２５  装飾部材
３７  アウト口
３９  突出部
４０  偏平部
４６，４９  表示ランプ
５７  誘導窓
【図１】
0004108320.tif 000002
【図２】
0004108320.tif 000003
【図３】
0004108320.tif 000004
【図４】
0004108320.tif 000005
【図５】
0004108320.tif 000006
【図６】
0004108320.tif 000007
【図７】
0004108320.tif 000008
【図８】
0004108320.tif 000009
【図９】
0004108320.tif 000010
【図１０】
0004108320.tif 000011
【図１１】
0004108320.tif 000012
【図１２】
0004108320.tif 000013
【図１３】
0004108320.tif 000014